(57)【要約】【課題】安く製造することができるとともに物が掴みやすい鍋掴み又は幼児用などのミトン型手袋、並びにそれらに取り付ける単純な構造の繋ぎ具を提供する。【解決手段】４本指袋部２における爪付近を除く人さし指と中指の間か、あるいは同じく爪付近を除く中指と薬指の間に、表側・裏側間を簡単に繋ぐ繋ぎ部３を設ける。【選択図】    図１
2005273117.tif 000002
【特許請求の範囲】
【請求項１】
親指袋部（１）と４本指袋部（２）を有するとともに物が掴みやすいことが要求される鍋掴み又はミトン型手袋において、４本指袋部（２）における爪付近を除く人さし指と中指の間か、あるいは同じく爪付近を除く中指と薬指の間に、表側・裏側間を簡単に繋ぐ繋ぎ部（３）を設けた鍋掴み又はミトン型手袋。
【請求項２】
繋ぎ部（３）が、糸（釣糸を含む）・紐・針金（ステープラーの針を含む）・磁石・面ファスナー・プラスチック製や金属製などの繋ぎ具（ホックやスナップや安全ピンを含む）のいずれかを用いたものである請求項１に記載の鍋掴み又はミトン型手袋。
【請求項３】
繋ぎ部（３）の解除又は取り外しが容易にできるようにした請求項１又は請求項２に記載の鍋掴み又はミトン型手袋。
【請求項４】
４本指袋部（２）の少なくとも片側における繋ぎ部（３）の位置に、一目で分かる目印（４）を設けた請求項１乃至請求項３のいずれかに記載の鍋掴み又はミトン型手袋。
【請求項５】
親指袋部（１）が４本指袋部（２）の中央から横に形成される場合は、４本指袋部（２）の人さし指・中指間又は中指・薬指間の爪部分を除く第１関節付近から、あるいは同じく爪部分を除く第１関節付近と第２関節の間から分割し、親指袋部（１）が４本指袋部（２）の中央と真っ直ぐに向き合う形で形成される場合は、４本指袋部（２）の中央において、中指又は薬指の、爪部分を除く第１関節付近から、あるいは同じく爪部分を除く第１関節付近と第２関節の間からほぼ均等に分割した鍋掴み又はミトン型手袋。
【請求項６】
基板（５）に先端近くにくびれ部（６）又は穴を有する軸体（７）を植立したものと、切り込みを有するかあるいは前記の穴に嵌合する棒状部を有するストッパー（８）とを組み合わせた、鍋掴み又はミトン型手袋の４本指袋部（２）に取り付ける繋ぎ具。
【発明の詳細な説明】
【技術分野】
【０００１】  本発明は物が掴みやすいことが要求される鍋掴み又は幼児用などのミトン型手袋、並びにそれらに取り付ける繋ぎ具に関する。
【背景技術】
【０００２】  鍋掴みや幼児用などのミトン型手袋の市販品は、４本指袋部の内部が広い空間を有するため手袋を指の動きによく連動して曲げることができず、物が掴みにくかった。そのような欠点をなくすために、既にいくつかの解決策が提案されているが、いずれにも別の欠点がある。
例えば実開昭５８−５８４４１の「鍋持運び用手袋」は実際の手の形とかなり異なるため、使い勝手がよいとは思えない。
また、実用新案登録第３０２７０５２号の「手袋」は、「手袋が外れるのを防止する」ためにも４本指袋部内に壁状の仕切りを設けるもので、安く製造することも裏返しにして干すこともできない。
【特許文献１】実開昭５８−５８４４１号公報
【特許文献２】実用新案登録第３０２７０５２号公報
【発明の開示】
【発明が解決しようとする課題】
【０００３】  本発明が解決しようとする課題は、安く製造することができるとともに物が掴みやすい鍋掴み又は幼児用などのミトン型手袋、並びにそれらに取り付ける単純な構造の繋ぎ具を提供することである。
【課題を解決するための手段】
【０００４】  本発明の鍋掴み又はミトン型手袋は、４本指袋部における爪付近を除く人さし指と中指の間か、あるいは同じく爪付近を除く中指と薬指の間に、表側・裏側間を簡単に繋ぐ繋ぎ部を設けたものである。ここで言う「爪付近を除く」は、爪付近だけで繋いではならないという意味である。【０００５】  また、本発明の鍋掴み又はミトン型手袋は、糸（釣糸を含む）・紐・針金（ステープラーの針を含む）・磁石・面ファスナー・プラスチック製や金属製などの繋ぎ具（ホックやスナップや安全ピンを含む）のいずれかを用いて表側・裏側間を簡単に繋いだものである。【０００６】  また、本発明の鍋掴み又はミトン型手袋は、手袋の先端部を含めて指の間を全体的に縫製しないことなどにより、繋ぎ部の解除又は取り外しが容易にできるようにしたものである。【０００７】  また、本発明の鍋掴み又はミトン型手袋は、４本指袋部の少なくとも片側における繋ぎ部の位置に、一目で分かる目印を設けたものである。【０００８】  また、本発明の鍋掴み又はミトン型手袋は、親指袋部が４本指袋部の中央から横に形成される場合は、４本指袋部の人さし指・中指間又は中指・薬指間の爪部分を除く第１関節付近から、あるいは同じく爪部分を除く第１関節付近と第２関節の間から分割し、親指袋部が４本指袋部の中央と真っ直ぐに向き合う形で形成される場合は、４本指袋部の中央において、中指又は薬指の、爪部分を除く第１関節付近から、あるいは同じく爪部分を除く第１関節付近と第２関節の間からほぼ均等に分割したものである。【０００９】  本発明の繋ぎ具は、鍋掴み又はミトン型手袋の４本指袋部に取り付けるもので、基板に先端近くにくびれ部又は穴を有する軸体を植立したものと、切り込みを有するかあるいは前記の穴に嵌合する棒状部を有するストッパーとを組み合わせたものである。
【発明の効果】
【００１０】  本発明の鍋掴み又はミトン型手袋は、４本指袋部の表側・裏側間を簡単に繋ぐものであるため、安く製造することができる。しかも、指を従来どおりに動かすだけで、従来の市販品と比べて物が格段に掴みやすくなっている、という効果を奏するものである。
また、本発明の繋ぎ具も単純な構造で安く製造することができ、しかも４本指袋部への取り付けは、綿などを布で挟んだ鍋掴みの場合は千枚通しなどで孔を開けて軸体を通した上でストッパーで留め、毛糸で編んだミトン型手袋の場合はそのまま軸体を突き通した上でストッパーで留めるという、極めて簡単なものである。
なお、この繋ぎ具を鍋掴み又はミトン型手袋に対し着脱自在とすれば、それらを洗ったあと裏返しにして干すときに便利である。
【発明を実施するための最良の形態】
【００１１】  親指袋部１が４本指袋部２の中央から横に形成される場合の最良の実施形態は、図１（Ａ）に示すように人さし指と中指の間の第２関節付近の位置か、あるいはそれよりやや指先寄りの位置で、手袋の色とは明らかに違う色の丈夫な糸で縫い合わせて繋ぐという簡単なものである。第２関節付近よりも指の付け根寄りで繋いでも著しく不都合とは言えないが、爪付近の指先で繋いではならない。そのような位置で繋いでも、物がほとんど掴みやすくならないからである。このようにして設けた繋ぎ部３は、４本指袋部２の表側・裏側間を簡単に繋ぐものであり、当然ながら安く製造することができる。その縫い合わせに際し、やや緩く縫い合わせたほうが使い勝手がよい場合がある。４本指袋部２の裏表に現れるその繋ぎ部３の、手袋の色とは明らかに違う色の糸が一目で分かる目印４ともなって、物が掴みやすいという新たな機能が加わったことを知らせるとともに、手に装着するときに指先がそこに突き当たるのを防ぐ。
なお、この鍋掴み又はミトン型手袋を洗ったあと、時には裏返しにして干したいこともあるが、その場合は、繋ぎ部３の糸を切り、あとで再び縫い合わせればよい。その糸を切って取り除く作業に当たり、図１（Ａ）のように、４本指袋部２の先端まで縫い込んでいないために、その先端の縫製部分を傷付けるおそれもなく簡単に行なうことができる。【００１２】  親指袋部１が４本指袋部２の中央と真っ直ぐに向き合う形で形成される場合の最良の実施形態は、図１（Ｂ）に示すように、４本指袋部２の中央における、中指か薬指の第２関節付近の位置か、あるいはそれよりやや指先寄りの位置で、手袋の色とは明らかに違う色の丈夫な糸で縫い合わせて繋ぐという簡単なものである。爪付近の指先で繋いではならない点その他は、前記と同じである。但し、繋ぎ部３によって中指と薬指が隔てられる点は前記の場合と異なる。
【実施例１】
【００１３】  本発明の実施例１を図２により説明する。
これは請求項４に記載の鍋掴み又はミトン型手袋の一例で、繋ぎ部３の位置に別部材としてのボタン状の目印４を設けて、商品価値を一層高めたものである。なお、これよりも低コストで別部材としての目印４を設けるには、例えば赤いフェルト地から打ち抜いたハート型の小片を赤い丈夫な糸で一緒に縫い合わせて繋ぎ部３を設ける、という方法もある（図示省略）。
【実施例２】
【００１４】  本発明の実施例２を図３により説明する。
これは請求項５に記載の鍋掴み又はミトン型手袋の一例で、４本指袋部２を、指の爪部分を除く第１関節付近、あるいは同じく爪部分を除く第１関節付近と第２関節の間という比較的指先に近い位置から分割するものである。図３（Ａ）は人さし指と中指の間で、図３（Ｂ）は中指と薬指の間で分割した場合を示し、図３（Ｃ）は４本指袋部２の中央でほぼ均等に分割した場合を示す。このように比較的指先に近い位置から４本指袋部２を分割したのは、低コストで製造できるようにするためと、洗ったあと干すときに裏返ししやすくするためと、保温性や独特なファッション性を極力損なわないようにするためである。
【実施例３】
【００１５】  本発明の実施例３を図４により説明する。
これは請求項６に記載の繋ぎ具の一例で、ストッパー８は軸体７に対しこのように着脱自在にするのが望ましい。そのためには、少なくともストッパー８の材質は可撓性を有するプラスチック製にする必要がある。このような繋ぎ具を使う方式は、糸を使って縫い合わせる前記の方式よりも多少コストアップになると思われるが、手袋を洗ったあと裏返しにして干す場合、糸を切ってまた縫い合わせるという手間がかからないので便利である。
【図面の簡単な説明】
【００１６】
【図１】（Ａ）  本発明の鍋掴み又はミトン型手袋の実施形態を示す平面図である。（Ｂ）  本発明の別の実施形態を示す平面図である。
【図２】（Ａ）  本発明の更に別の実施形態を示す平面図である。（Ｂ）  別部材としての目印の拡大斜視図である。
【図３】（Ａ）  本発明の更に別の実施形態を示す平面図である。（Ｂ）  本発明の更に別の実施形態を示す平面図である。（Ｃ）  本発明の更に別の実施形態を示す平面図である。
【図４】（Ａ）  繋ぎ具の拡大分解斜視図である。（Ｂ）  基板と軸体の拡大断面図である。（Ｃ）  ストッパーの拡大断面図である。
【符号の説明】
【００１７】  １：親指袋部
２：４本指袋部
３：繋ぎ部
４：目印
５：基板
６：くびれ部
７：軸体
８：ストッパー
【図１】
2005273117.tif 000003
【図２】
2005273117.tif 000004
【図３】
2005273117.tif 000005
【図４】
2005273117.tif 000006